(57)【要約】【課題】レンズ鏡筒に設けられたリング部材により撮影距離を設定する際の操作性を向上させた光学機器を提供する。【解決手段】レンズ鏡筒に対して回転自在、かつ第１の位置と第２の位置にスライド自在に配設されたリング部材が第１の位置にスライドした場合には、リング部材の第１の絶対的な位置に応じた距離に焦点調節レンズのピント合わせを行い、リング部材が第２の位置にスライドした場合には、リング部材の第２の絶対的な位置に応じた距離に焦点調節レンズのピント合わせを行う。【選択図】図１０
2013182180.tif 000002
【特許請求の範囲】
【請求項１】
レンズ鏡筒内に設けられた焦点調節レンズと、
上記レンズ鏡筒に対して回転自在、かつ第１の位置と第２の位置にスライド自在に配設されたリング部材と、
上記リング部材が上記第１の位置にスライドした場合には、上記リング部材の第１の絶対的な位置に応じた距離に、上記焦点調節レンズのピント合わせを行い、上記リング部材が上記第２の位置にスライドした場合には、上記リング部材の第２の絶対的な位置に応じた距離に、上記焦点調節レンズのピント合わせを行う制御部と、
を有することを特徴とする光学機器。
【請求項２】
上記第１の絶対的な位置は、上記リング部材の回転量が等間隔となる位置に設けられ、上記第２の絶対的な位置は、上記リング部材の回転量が非等間隔となる位置に設けられることを特徴とする請求項１に記載の光学機器。
【請求項３】
上記第２の絶対的な位置は、上記リング部材の回転量が、光学無限を基準にして上記リング部材により設定される距離の逆数に比例する間隔となる位置に設けられることを特徴とする請求項２に記載の光学機器。
【請求項４】
上記リング部材が上記第１の位置にスライドした場合には、上記リング部材に連動して回転する上記リング部材の第１の絶対的な位置に応じた距離を表示する第１の距離表示部と、上記リング部材に連動して回転しない第１の指標が露出するように構成され、
上記制御部は、上記リング部材の回転により、上記第１の指標に合わせられた第１の距離表示部の距離表示を検出して上記焦点調節レンズのピント合わせを行うことを特徴とする請求項１に記載の光学機器。
【請求項５】
上記リング部材が上記第２の位置にスライドした場合には、上記リング部材に連動して回転する上記リング部材の第２の絶対的な位置に応じた距離を表示する第２の距離表示部と、上記リング部材に連動して回転しない第２の指標が露出するように構成され、
上記制御部は、上記リング部材の回転により、上記第２の指標に合わせられた第２の距離表示部の距離表示を検出して上記焦点調節レンズのピント合わせを行うことを特徴とする請求項１に記載の光学機器。
【請求項６】
上記リング部材は、上記レンズ鏡筒に対して回転自在、かつ第１の位置と第２の位置とは異なる第３の位置にスライド自在であり、上記制御部は、上記リング部材が上記第３の位置にスライドした場合には、上記リング部材の回転に応じて、上記焦点調節レンズのピント合わせを行うことを特徴とする請求項１に記載の光学機器。
【請求項７】
上記リング部材が上記第３の位置にスライドした場合には、上記リング部材により上記第１の距離表示部の距離表示と上記第１の指標と上記第２の距離表示部の距離表示と上記第２の指標が覆われることを特徴とする請求項６に記載の光学機器。
【発明の詳細な説明】
【技術分野】
【０００１】
本発明は、レンズ鏡筒に対して回転自在に配設されるリング部材を有し、リング部材の回転によって設定された位置に従ってピント位置を切換え可能な光学機器に関する。
【背景技術】
【０００２】
特許文献１には、フォーカスレンズを有する光学機器において、レンズ鏡筒の周囲をクリック式に回動可能に装着されているクイックフォーカスダイアルを有する光学機器が開示されている。上記クイックフォーカスダイアルの回動操作により設定された距離指標に対応する位置にフォーカスレンズを駆動する技術が開示されている。
【先行技術文献】
【特許文献】
【０００３】
【特許文献１】特開平５−３４７７２６号公報
【発明の概要】
【発明が解決しようとする課題】
【０００４】
特許文献１に記載の技術においては、クイックフォーカス操作を行う操作部材を、等間隔の回転量だけ回動させて位置を設定することにより、所定距離に対応する位置へフォーカスレンズを移動させることができる。しかしながら、交換レンズにおいて一般的なマニュアルフォーカス操作機構は、光学的な無限位置からの距離の逆数に比例する回転量に応じて操作部材を回動させてマニュアルフォーカスを行う操作方法である。そのため、特許文献１に記載のクイックフォーカス操作は、上記一般的なマニュアルフォーカス操作とは大きく異なる操作感覚となっている。従って、従来の一般的なマニュアルフォーカス操作に慣れたユーザにとっては、使い勝手がよくないという問題がある。このように、ユーザの好みに応じた操作性を提供することができないという問題がある。
【０００５】
本発明の目的は、レンズ鏡筒に設けられたリング部材を操作することにより焦点位置を設定する際に、ユーザの好みに応じた操作性を提供し、操作性を向上させることが可能な光学機器を提供することにある。
【課題を解決するための手段】
【０００６】
上記目的を達成するために第１の発明に係わる光学機器は、レンズ鏡筒内に設けられた焦点調節レンズと、上記レンズ鏡筒に対して回転自在、かつ第１の位置と第２の位置にスライド自在に配設されたリング部材と、上記リング部材が上記第１の位置にスライドした場合には、上記リング部材の第１の絶対的な位置に応じた距離に、上記焦点調節レンズのピント合わせを行い、上記リング部材が上記第２の位置にスライドした場合には、上記リング部材の第２の絶対的な位置に応じた距離に、上記焦点調節レンズのピント合わせを行う制御部と、を有する。
【０００７】
第２の発明に係わる光学機器は、上記第１の発明において、上記第１の絶対的な位置は、上記リング部材の回転量が等間隔となる位置に設けられ、上記第２の絶対的な位置は、上記リング部材の回転量が非等間隔となる位置に設けられる。
【０００８】
第３の発明に係わる光学機器は、上記第２の発明において、上記第２の絶対的な位置は、上記リング部材の回転量が、光学無限を基準にして上記リング部材により設定される距離の逆数に比例する間隔となる位置に設けられる。
【０００９】
第４の発明に係わる光学機器は、上記第１の発明において、上記リング部材が上記第１の位置にスライドした場合には、上記リング部材に連動して回転する上記リング部材の第１の絶対的な位置に応じた距離を表示する第１の距離表示部と、上記リング部材に連動して回転しない第１の指標が露出するように構成され、上記制御部は、上記リング部材の回転により、上記第１の指標に合わせられた第１の距離表示部の距離表示を検出して上記焦点調節レンズのピント合わせを行う。
【００１０】
第５の発明に係わる光学機器は、上記第１の光学機器において、上記リング部材が上記第２の位置にスライドした場合には、上記リング部材に連動して回転する上記リング部材の第２の絶対的な位置に応じた距離を表示する第２の距離表示部と、上記リング部材に連動して回転しない第２の指標が露出するように構成され、上記制御部は、上記リング部材の回転により、上記第２の指標に合わせられた第２の距離表示部の距離表示を検出して上記焦点調節レンズのピント合わせを行う。
【００１１】
第６の発明に係わる光学機器は、上記第１の発明において、上記リング部材は、上記レンズ鏡筒に対して回転自在、かつ第１の位置と第２の位置とは異なる第３の位置にスライド自在であり、上記制御部は、上記リング部材が上記第３の位置にスライドした場合には、上記リング部材の回転に応じて、上記焦点調節レンズのピント合わせを行う。
【００１２】
第７の発明に係わる光学機器は、上記第６の発明において、上記リング部材が上記第３の位置にスライドした場合には、上記リング部材により上記第１の距離表示部の距離表示と上記第１の指標と上記第２の距離表示部の距離表示と上記第２の指標が覆われる。
【発明の効果】
【００１３】
本発明によれば、レンズ鏡筒に設けられたリング部材を操作することにより焦点位置を設定する際に、ユーザの好みに応じた操作性を提供し、操作性を向上させることが可能な光学機器を提供することができる。
【図面の簡単な説明】
【００１４】
【図１】本発明の一実施形態に係わるカメラの内部構成を示すブロック図である。
【図２】本発明の一実施形態に係わるカメラの主として電気的構成を示すブロック図である。
【図３】本発明の一実施形態に係わるカメラにおいて、ＭＦ環が第１の位置に位置する状態のレンズ鏡筒の上面図である。
【図４】本発明の一実施形態に係わるカメラにおいて、ＭＦ環が第２の位置に位置する状態のレンズ鏡筒の上面図である。
【図５】本発明の一実施形態に係わるカメラにおいて、ＭＦ環が第３の位置に位置する状態のレンズ鏡筒の上面図である。
【図６】本発明の一実施形態に係わるカメラにおいて、ＭＦ環の第１、第２、第３の位置を検出する機構とＭＦ環の位置に応じたフォトインタラプタ部の出力を示す図である。
【図７】本発明の一実施形態に係わるカメラにおいて、ＭＦ環の回動位置を検出する機構とＭＦ環の回動位置に応じた指標位置検出回路の出力を示す図である。
【図８】本発明の一実施形態に係わるカメラにおいて、交換レンズとカメラ本体の同期通信の一例を示すタイミングチャートである。
【図９】本発明の一実施形態に係わるカメラの撮影動作を示すフローチャートである。
【図１０】本発明の一実施形態に係わるカメラのＭＦ環操作検出・動作処理を示すフローチャートである。
【図１１】本発明の一実施形態に係わるカメラの第１のＲＦモードにおいて、指標位置検出回路の出力に基づいてＭＦ環の回動位置を検出する方法を示す図である。
【図１２】本発明の一実施形態に係わるカメラの第２のＲＦモードにおいて、指標位置検出回路の出力に基づいてＭＦ環の回動位置を検出する方法を示す図である。
【発明を実施するための形態】
【００１５】
以下、図面に従って本発明を適用したカメラを用いて好ましい実施形態について説明する。
【００１６】
図１は、本発明の一実施形態に係わるカメラの構成を示すブロック図であり、このカメラはデジタルカメラであり、カメラ本体１００と交換レンズ２００とから構成される。交換レンズ２００は、カメラ本体のバヨネットマウント等を介して着脱自在に装着される。なお、本実施形態においては、カメラ本体１００と交換レンズ２００を別体に構成したが、一体に構成するようにしてもよい。
【００１７】
カメラ本体１００内には、カメラ制御回路１０１、撮像素子１０３、フォーカルプレーンシャッタ１０４、表示用モニタ１０５、ストロボ１０６、レリーズ釦１０７、バッテリ１０８等が配置されている。また、交換レンズ２００内には、レンズ制御回路２０１、焦点調節レンズ２０３、ＭＦ環２０４、絞り２０５等が配置されている。
【００１８】
カメラ制御回路１０１は、本体ＣＰＵ（Central Processing Unit：中央処理装置）１２１（図２参照）等を含むＡＳＩＣ（Application Specific Integrated Circuit：特定用途向け集積回路）とその周辺回路等で構成される。レリーズ釦１０７を撮影者が操作すると撮像素子１０３、フォーカルプレーンシャッタ１０４等を制御すると共に、必要に応じてストロボ１０６の発光制御を行い、またレンズ制御回路２０１と連携して撮影動作等を実行する。後述するレンズ制御回路２０１内のレンズＣＰＵ２２１（図２参照）と連携し、カメラ全体の各種シーケンスを統括的に制御する。この制御は、フラッシュＲＯＭ１２２（図２参照）に記憶されたプログラムに従って実行する。このカメラ制御回路１０１の詳細は、図２を用いて後述する。
【００１９】
撮像素子１０３は、ＣＣＤ（Charge Coupled Device）イメージセンサやＣＭＯＳ（Complementary Metal Oxide Semiconductor）イメージセンサ等の固体撮像素子によって構成され、交換レンズ２００によって形成された被写体像を画像信号に変換する。すなわち、カメラ制御回路１０１からの信号に従って、撮像素子１０３において画像信号の蓄積がなされ、また画像信号の読み出し等がなされる。なお、本明細書においては、撮像素子１０３からの出力に基づく信号は、画像信号の他に画像データと称する場合がある。
【００２０】
フォーカルプレーンシャッタ１０４は、レリーズ釦１０７の全押しに基づくカメラ制御回路１０１中のシャッタ制御回路１２６（図２参照）からの指示に応じて開閉動作を行い、交換レンズ２００からの被写体光束を開閉する。この開閉時間は、カメラ制御回路１０１によって算出されたシャッタ速度に応じた時間である。
【００２１】
表示用モニタ１０５は、カメラ本体の背面等に配置されたＬＣＤ、有機ＥＬ等により構成される。表示用モニタ１０５は、静止画の撮影待機時や動画撮影時のライブビュー表示や、再生釦等の操作に応じた記録済みの撮影画像の再生表示や、メニュー釦等の操作に応じてメニュー画面等において設定情報の表示を行う。
【００２２】
ストロボ１０６は、レリーズ釦１０７の操作時に周囲が暗い場合等に、カメラ制御回路１０１中のストロボ制御回路１２５（図２参照）からの指示に応じて補助光を被写体に照明する。この発光は発光用コンデンサ（不図示）に蓄えられた電荷を用い、フォーカルプレーンシャッタ１０４の露光動作と同期して行う。
【００２３】
レリーズ釦１０７は、半押しでオンになるファーストレリーズスイッチ１３２（図２参照）と、半押しから更に押し込み全押しとなるとオンになるセカンドレリーズスイッチ１３３（図２参照）を有する。カメラ制御回路１０１は、ファーストレリーズスイッチ１３２がオンとなると、ＡＥ（Auto Exposure）動作やＡＦ（Auto Focus）動作等の撮影準備シーケンスを実行する。また、セカンドレリーズスイッチ１３３がオンとなると、フォーカルプレーンシャッタ１０４等を制御し、撮像素子１０３等から被写体画像に基づく画像データを取得し、この画像データを記録媒体に記録する一連の撮影シーケンスを実行して撮影を行う。バッテリ１０８は、カメラ本体１００および交換レンズ２００内の各部材、各回路に電源を供給する。
【００２４】
交換レンズ２００内のレンズ制御回路２０１は、レンズＣＰＵ等を含むＡＳＩＣと、その周辺回路で構成される。カメラ制御回路１０１からの指示、または撮影者によるＭＦ環２０４の操作に応じて、焦点調節レンズ２０３、絞り２０５の駆動制御等を行う。また、カメラ制御１０１からの要求に応じて、焦点距離、設定距離、絞り値等の種々のレンズ情報を送信する。この制御は、フラッシュＲＯＭ（不図示）に記憶されたプログラムに従って実行する。このレンズ制御回路２０１の詳細は、図２を用いて後述する。
【００２５】
焦点調節レンズ２０３は、レンズ制御回路２０１からの指示に基づいて光軸方向に移動し、交換レンズ２００の焦点状態を調節する。なお、本実施形態においては、単焦点レンズとして説明するが、焦点距離可変なズームレンズで構成してもよい。
【００２６】
ＭＦ環２０４は、交換レンズ２００の外周に配置され、交換レンズ２００の光軸中心の周りに回転操作が可能であると共に、光軸方向に沿って第１の位置と第２の位置と第３の位置の間でスライド操作が可能である。ＭＦ環２０４を交換レンズ２００の前方側（被写体側）の第２の位置と後方側（撮像素子側）の第３の位置との中間にある第１の位置にスライドさせ、この第１の位置において回転操作することにより、マニュアルフォーカス（ＭＦ）操作が可能である。また、ＭＦ環２０４を第１の位置より交換レンズ２００の前方側（被写体側）にスライドさせた第２の位置において回転操作することにより、第１のレンジフォーカス（ＲＦ）操作が可能である。また、さらにＭＦ環２０４を交換レンズ２００の後方側（撮像素子側）にスライドさせ、第２の位置を越えた第３の位置に設定し、この第３の位置において回転操作することにより、第２のレンジフォーカス（ＲＦ）操作が可能である。
【００２７】
なお、ＭＦ環２０４が第１または第２のＲＦ位置（第２または第３の位置）にスライド操作された際に、ＭＦ環２０４の回転方向の絶対的な位置によって決まる距離に相当するように焦点調節レンズ２０３の位置を制御する動作をレンジフォーカス（ＲＦ）と称する。またレンジフォーカスを実行する制御モードをレンジフォーカスモード（ＲＦモード）と称する。
【００２８】
ＭＦ環２０４の第１の位置、第２の位置および第３の位置について、図３、図４および図５を用いて後述する。絞り２０５は、レンズ制御回路２０１からの指示に基づいて、開口面積を変化させ、交換レンズ２００を通過する被写体光束の光量を調節する。
【００２９】
次に、カメラ制御回路１０１と、レンズ制御回路２０１の詳細について、図２を用いて説明する。カメラ制御回路１０１内には、本体ＣＰＵ１２１が設けられており、この本体ＣＰＵ１２１に、フラッシュＲＯＭ（Read Only Memory）１２２、ＲＡＭ（Random Access Memory）１２３、撮像素子制御回路１２４、ストロボ制御回路１２５、シャッタ制御回路１２６、画像処理回路１２７、表示回路１２８、操作スイッチ検出回路１２９、電源回路１３０、および通信回路１３１が接続されている。これらの各種回路と本体ＣＰＵ１２１の間で、各種信号の入出力が行われる。
【００３０】
本体ＣＰＵ１２１は、フラッシュＲＯＭ１２２に記憶されているプログラム等に従って、カメラ全体の制御を統括する。また、カメラ本体通信回路１３１およびレンズ通信回路２２９を介してレンズＣＰＵ２２１と通信が可能であり、制御命令を出力すると共に、焦点調節レンズ２０３のレンズ位置等のレンズ情報を取得する。
【００３１】
フラッシュＲＯＭ１２２は、電気的に書き換え可能な不揮発性メモリであり、前述したように本体ＣＰＵ１２１が実行するプログラムを記憶しており、また各種調整値等も記憶している。不揮発性メモリであればフラッシュＲＯＭ以外のメモリを採用してもよい。ＲＡＭ１２３は、ＤＲＡＭ（Dynamic Random Access Memory）やＳＤＲＡＭ（Synchronous DRAM）等、電気的に書き換え可能な揮発性メモリであり、本体１２１において処理するための各種情報を一時的に記憶する。
【００３２】
撮像素子制御回路１２４は、ライブビュー表示、ＡＥ、ＡＦ、撮影時の露光等、画像データを必要とする処理の動作実行時に、被写体像を画像信号に変換するための撮像動作を撮像素子１０３に実行させる。撮像動作としては、撮像素子１０３における電荷蓄積制御や画像信号の読み出し等を行う。
【００３３】
ストロボ制御回路１２５は、本体ＣＰＵ１２１からの指令に基づきストロボ１０６の充電、発光制御を行う。シャッタ制御回路１２６は、本体ＣＰＵ１２１からのシャッタ速度信号に基づいて、フォーカルプレーンシャッタ１０４の開閉制御を行う。
【００３４】
画像処理回路１２７は、撮像素子１０３から出力される画像信号に対して、Ａ／Ｄ変換やフィルタ処理等の画像処理を施す。また、ライブビュー表示用の画像処理を行い、この処理された画像信号に基づいて表示モニタ１０５にライブビュー表示する。また、記録用の撮影画像の画像処理を行い、この処理された画像データを記録媒体（不図示）に記録する。また、焦点検出領域内の画像信号から高周波成分をハイパスフィルタ処理することによって抽出処理を行い、ＡＦ評価値を算出する。したがって、画像処理回路１２７が焦点検出を行うための焦点検出部としての機能を果たす。本実施形態においては、焦点検出にあたっては公知のコントラストＡＦを採用しており、焦点調節レンズ２０３を移動させ、ＡＦ評価値がピークとなる位置を合焦位置とする。
【００３５】
表示回路１２８は、表示用モニタ１０５に接続され、ライブビュー表示や、記録媒体に記録されている撮影画像の再生表示や、メニュー画面等の各種撮影情報の表示を行う。操作スイッチ検出回路１２９は、レリーズ釦１０７に連動するファーストレリーズスイッチ１３２およびセカンドレリーズスイッチ１３３、その他の検出スイッチ（不図示）と接続されており、これらのスイッチの操作状態を検出し、検出結果を本体ＣＰＵ１２１に出力する。その他の検出スイッチとしては、電源のオンオフを行う電源釦に連動した電源スイッチ、カメラの撮影モードを切換える撮影モードスイッチ、メニュー画面を表示させるメニュー釦に連動したメニュースイッチ、記録媒体に記録されている撮影画像の再生表示を行わせる再生釦に連動した再生スイッチ、交換レンズ２００の装着状態を検出するマウントスイッチ、動画撮影の開始および終了を指示する動画釦に連動した動画スイッチ等がある。
【００３６】
上記メニュー画面においては、焦点調節モード等の種々の撮影情報の設定を行う。メニュー画面において設定する焦点調節モードとしては、本実施形態においては、自動的に焦点調節レンズ２０３のピント合わせを自動的に行うオートフォーカスモード（ＡＦモード）と、ピント合わせを手動で行うマニュアルフォーカスモード（ＭＦモード）の２種類がある。なお、カメラ本体１００における焦点調節モードの設定は、本実施形態のようにメニュー画面以外においても、専用釦等によって設定する等、他の方法によって設定するようにしても勿論かまわない。操作スイッチ検出回路１２９および本体ＣＰＵ１２１等が、カメラ本体側に設けられ、焦点調節モードを設定する焦点調節モード設定部としての機能を果たす。電源回路１３０は、バッテリ１０８と接続され、電源電圧の平滑化や昇圧等を行って、カメラ本体１００や交換レンズ２００内の各回路・各部材に電源を供給する。
【００３７】
カメラ本体通信回路１３１は、カメラ本体２００の外部のマウント部に設けられた同期信号端子、データ端子等の複数の通信端子を有する。レンズ通信回路２２９を介して、本体ＣＰＵ１２１とレンズＣＰＵ２２１が通信を行う。カメラ本体通信回路１３１とレンズ通信回路２２９間の通信は、本体と交換レンズの装着当初は非同期通信によって行うが、カメラ本体側で交換レンズの情報を取得後、装着された交換レンズ２００が同期通信可能であれば、同期通信によって通信する。
【００３８】
レンズ制御回路２０１内には、レンズＣＰＵ２２１が設けられ、このレンズＣＰＵ２２１に、レンズ駆動回路２２２、レンズ位置検出回路２２３、ＭＦ環位置検出回路２２４、ＭＦ位置検出回路２２５、指標位置検出回路２２６、絞り駆動回路２２７、ＲＡＭ２２８、通信回路２２９が接続されている。レンズＣＰＵ２２１は、交換レンズ内に設けられたフラッシュＲＯＭ（不図示）に記憶されたプログラムや各種調整値、レンズ位置検出回路２２３、ＭＦ環位置検出回路２２４、ＭＦ位置検出回路２２５、および指標位置検出回路２２６からの出力信号、および本体ＣＰＵ１２１からの制御命令に従って、交換レンズ２００内の制御を行う。具体的には、焦点調節レンズ２０３の駆動や、絞り２０５の駆動等の各種駆動制御を行う。また、カメラ本体通信回路１３１およびレンズ通信回路２２９を介して、本体ＣＰＵ１２１と通信を行い、本体ＣＰＵ１２１からの動作命令の受信、交換レンズ２００のレンズ動作状態や光学データ等のレンズ状態を示す情報の送信を行う。
【００３９】
レンズ駆動回路２２２は、ステッピングモータ等のアクチュエータや、モータドライバ等を含んで構成され、焦点調節レンズ２０３を光軸方向に駆動制御を行う。また、後述するレンジフォーカスモード（ＲＦモード）で焦点調節を行う場合には、カメラ本体１００からの同期通信用の同期信号をタイミング信号として用いて、焦点調節レンズ２０３の制動（加減速）制御を行う。また、焦点調節レンズ２０３を微小反転駆動させる所謂ウォブリング動作による駆動制御も可能である。
【００４０】
レンズ位置検出回路２２３は、焦点調節レンズ２０３の位置検出を行う。このレンズ位置検出回路２２３は、レンズ駆動回路２２２に含まれるステッピングモータ等の駆動用モータの回転量をパルス数に変換するフォトインタラプタ（ＰＩ）回路を含んで構成される。位置検出結果は、焦点調節レンズ２０３の絶対値が無限端等基準位置からのパルス数で表わす。
【００４１】
ＭＦ環位置検出回路２２４は、ＭＦ環２０４の交換レンズ２００の光軸方向でのスライド位置を検出する。すなわち、ＭＦ環２０４を、交換レンズ２０４の前方側にスライドし、第１のレンジフォーカス操作位置（第１のＲＦ位置、第２の位置）と、交換レンズ２０４の後方側にスライドし、マニュアルフォーカス操作位置（ＭＦ位置、第１の位置）と、交換レンズ２０４のさらに後方側にスライドし、第２のレンジフォーカス操作位置（第２のＲＦ位置、第３の位置）の３つの位置に移動自在である。ＭＦ環位置検出回路２２４は、ＭＦ環２０４が第１の位置にあるか第２の位置にあるか第３の位置にあるか否かを検出する。この位置検出機構については、図５を用いて後述する。
【００４２】
ＭＦ位置検出回路２２５は、ＰＩ回路を含んで構成され、ＭＦ環２０４の交換レンズ２００の光軸中心に対する回転方向の相対位置変化量を検出する。すなわち、ＭＦ環位置検出回路２２４によって検出されるＭＦ環２０４の位置がマニュアルフォーカス操作位置（ＭＦ位置、第１の位置）にある場合に、ＰＩ回路から出力されるパルス信号に基づいて、ＭＦ環２０４の回転方向、回転量、回転速度等を検出できる。このＭＦ環２０４の回転検出に使用する検出用タイマは、レンズＣＰＵ２２１内の通常の内蔵タイマを用いる。ＰＩ回路のフォトインタラプタの構成について、図５を用いて後述する。
【００４３】
指標検出回路２２６は、リニアエンコーダやＡ／Ｄ変換回路等を含んで構成され、焦点調節レンズ２０３の駆動目標位置に対応する距離指標の検出を行う。すなわち、ＭＦ環位置検出回路２２４によって検出されるＭＦ環２０４の位置が第２または第３のレンジフォーカス位置（第１のＲＦ位置または第２のＲＦ位置、第２の位置または第３の位置）にある場合に、エンコーダ値のＡ／Ｄ変換結果に基づいてＭＦ環２０４の交換レンズ２００の光軸中心での回転方向位置で設定される駆動目標位置に対応する距離指標位置の検出を行う。すなわち、指標検出回路２２６は、ＭＦ環２０４によって設定された絶対的な距離の検出を行う。このエンコーダ値を読み取る際に使用する検出用タイマのタイミング信号は、カメラ本体１００と交換レンズ２００の間で同期通信を行うためのレンズ通信同期信号を利用する。リニアエンコーダを用いた指標検出回路２２６の検出機構の一例の構成については、図７を用いて後述する。
【００４４】
絞り駆動回路２２７は、ステッピングモータ等のアクチュエータやモータドライバ等を含んで構成され、レンズＣＰＵ２２１からの絞り値に従って、絞り２０５の開口動作制御を行う。ＲＡＭ２２８は、レンズＣＰＵ２２１において使用する各種情報を一時格納するための揮発性のメモリである。 レンズ通信回路２２９は、交換レンズ２００の外部のマウント部に設けられた同期信号端子、データ端子等の複数の通信接続端子を有し、カメラ本体通信回路１３１の通信接続端子と係合して、カメラ本体と通信を行う。このレンズ通信回路２２９を介して、本体ＣＰＵ２２１からの焦点調節レンズ２０３や絞り２０５の制御命令等を受信し、また光学データ、レンズ位置情報、動作状態等のレンズ状態の情報を本体ＣＰＵ２２１に送信する。
【００４５】
なお、カメラ制御回路１０１とレンズ制御回路２０１は、共同してカメラを制御することにより制御部としての機能を果たす。すなわち、この制御部は、ＭＦ環（リング部材）２０４が第１の位置にスライドした場合には、カメラ本体側で設定された焦点調節モードで焦点調節を行い、ＭＦ環２０４が第２または第３の位置にスライドした場合には、カメラ本体側で設定された焦点調節モードによる焦点調節を停止し、ＭＦ環２０４で設定された絶対的な位置に応じた距離に、焦点調節用レンズ２０３のピント合わせを行う。
【００４６】
次に、ＭＦ環２０４の第１の位置、第２の位置と第３の位置へのスライド操作について、図３、図４および図５を用いて説明する。図３はＭＦ環２０４が第１の位置にある場合を示し、図４はＭＦ環２０４が第２の位置にある場合を示し、図５はＭＦ環２０４が第３の位置にある場合を示す。
【００４７】
交換レンズ２００の後方側には、レンズマウント部２１が設けられている。このレンズマウント部２１は、図示しないカメラ本体１００側の本体マウント部と係合することにより、交換レンズ２００をカメラ本体１００に装着可能である。レンズ本体２２は、レンズマウント部２１と一体に構成され、レンズマウント部２１がカメラ本体１００に装着されると、カメラ本体１００に固定される。
【００４８】
ＭＦ環２０４は、交換レンズ２００のレンズ鏡筒の外周部において、光軸Ｏの周りに回動可能、かつ光軸Ｏ方向に進退移動可能に配設された略円筒状の形状である。ＭＦ環２０４は、レンズ鏡筒の外周上に露出しており、撮影者の指が掛かるように配設されている。なお、ＭＦ環２０４の一部のみが外周上に露出するように構成しても勿論かまわない。
【００４９】
図３に示す状態において、ＭＦ環２０４を光軸Ｏに沿って後方側（撮像素子側）の第３の位置にスライド移動させると、図４に示すように、距離表示環２４と指標表示環２５が露出する。距離表示環２４は、ＭＦ環２０４の内側に配設された略円筒状の部材であり、ＭＦ環２０４が第１の位置にある際には、ＭＦ環２０４と一体に移動することがない。しかし、ＭＦ環２０４が第２の位置に移動すると、距離表示環２４はＭＦ環２０４と一体に光軸Ｏ周りに回動可能である。
【００５０】
距離表示環２４の外周面には、図４に示すように、焦点調節レンズ２０３のピントが合う距離（合焦距離）を表す距離目盛２４ａが表示されている。距離目盛２４ａは、最短合焦距離から無限遠までの距離を示す数値が周方向に沿って配列されている。距離を示す数値は、無限遠位置２４ｂを基準としてそれぞれの距離の逆数に応じた回転量に対応する位置に配置されている。距離表示環２４が指標表示枠２５に対して光軸Ｏ周りに回動することにより、指標２５ａが指し示す距離目盛２４ａの数値が変化する。
【００５１】
ＭＦ環２０４が第３の位置にスライドされて位置する第３のＲＦモードにおいては、ＭＦ環位置検出回路２２４は、指標２５ａが指し示す距離目盛２４ａの距離を検出し、レンズＣＰＵ２２１は、検出された距離に対応する位置に焦点調節レンズ２０３を駆動する制御を行う。
【００５２】
距離表示環２４は、光軸Ｏ周りの回動範囲が制限されており、指標２５ａによって指示される距離範囲内でのみ回動可能である。したがって、距離目盛２４ａは、指標２５ａに対して最短合焦距離（最至近）から無限遠までの距離を数値で表示する。
【００５３】
指標表示環２５は、レンズ本体部２２上に設けられ、レンズ鏡筒の外装部材の一部である。指標表示環２５は、ＭＦ環２０４が第１の位置（ＭＦ位置）にある場合には、ＭＦ環２０４によりも覆われるように配置されている。この指標表示環２５には、指標２５ａおよび被写界深度指標２５ｂが表示されている。指標２５ａは前述の距離表示環２４に設けられた距離目盛２４ａの基準指標を示し、被写界深度指標２５ｂは、絞り２０５の絞り値に応じた被写界深度を、距離目盛２４ａに対して示す指標である。
【００５４】
また、図３に示す状態において、ＭＦ環２０４を光軸Ｏに沿って前方側（被写体側）の第２の位置にスライド移動させると、図５に示すように、距離表示環２８と指標表示環２９が露出する。距離表示環２８は、ＭＦ環２０４の内側に配設された略円筒状の部材であり、ＭＦ環２０４が第１の位置にある際には、ＭＦ環２０４と一体に移動することがない。しかし、ＭＦ環２０４が第２の位置に移動すると、距離表示環２８はＭＦ環２０４と一体に光軸Ｏ周りに回動可能である。
【００５５】
距離表示環２８の外周面には、図５に示すように、焦点調節レンズ２０３のピントが合う距離（合焦距離）を表す距離目盛２８ａが表示されている。距離目盛２８ａは、最短合焦距離（最至近）から無限遠までの距離を示す数値が周方向に沿って配列されている。距離を示す数値は、それぞれ等間隔の回転量に対応する位置に配置されている。距離表示環２８が指標表示環２９に対して光軸Ｏ周りに回動することにより、指標２９ａが指し示す距離目盛２８ａの数値が変化する。
【００５６】
ＭＦ環２０４が第２の位置にスライドされて位置する第２のＲＦモードにおいては、ＭＦ環位置検出回路２２４は、指標２９ａが指し示す距離目盛２８ａの距離を検出し、レンズＣＰＵ２２１は、検出された距離に対応する位置に焦点調節レンズ２０３を駆動する制御を行う。
【００５７】
距離表示環２８は、光軸Ｏ周りの回動範囲が制限されており、指標２９ａによって指示される距離範囲内でのみ回動可能である。したがって、距離目盛２８ａは、指標２９ａに対して最短合焦距離（最至近）から無限遠までの距離を数値で表示する。
【００５８】
なお、指標環２９には指標環２５に設けられているような被写界深度指標は設けられていない。これは、距離目盛２９ａが距離の逆数に比例する間隔(回転量)ではなく、等間隔（等回転量）となるように配置されているので、距離に対する被写界深度が一定量とはならず固定値として表記できないためである。
【００５９】
このように、本実施形態においては、ＭＦ環２０４が第１の位置（ＭＦ位置）に位置している場合には、図３に示すように、距離表示環２４の距離目盛２４ａ、指標表示環２５の指標２５ａ、被写界深度表示２５ｂと距離表示環２８の距離目盛２８ａ、指標表示環２９の指標２９ａは、レンズ鏡筒の外部から見えない状態となる。
【００６０】
一方、ＭＦ環２０４が第２の位置（第１のＲＦ位置）に位置している場合には、図４に示すように、距離表示環２４の距離目盛２４ａ、指標表示環２５の指標２５ａは、レンズ鏡筒の外部から見える状態となり、距離表示環２８の距離目盛２８ａ、指標表示環２９の指標２９ａは、レンズ鏡筒の外部から見えない状態となる。
【００６１】
距離表示環２４は、前述のように、ＭＦ環２０４が第２の位置にある場合にのみ、ＭＦ環２０４とともに光軸Ｏ周りに回動するように構成され、ＭＦ環２０４が第１の位置（ＭＦ位置）にある場合には、ＭＦ環２０４は距離表示環２４と独立して回動可能である。
【００６２】
また、ＭＦ環２０４が第３の位置（第２のＲＦ位置）に位置している場合には、図５に示すように、距離表示環２８の距離目盛２８ａ、距離指標環２９の指標２９ａは、レンズ鏡筒の外部から見える状態となり、距離表示環２４の距離目盛２４ａ、距離指標環２５の指標２５ａは、レンズ鏡筒の外部から見えない状態となる。
【００６３】
距離表示環２８は、前述のように、ＭＦ環２０４が第３の位置にある場合にのみ、ＭＦ環２０４とともに光軸Ｏ周りに回動するように構成され、ＭＦ環２０４が第１の位置（ＭＦ位置）にある場合には、ＭＦ環２０４は距離表示環２８と独立して回動可能である。
【００６４】
このように、第１、第２のＲＦモードに設定される場合は、それぞれ必要な表示（距離目盛、指標、被写界深度）のみが外部から見える状態となり、ＭＦモードの際には第１、第２のＲＦモードに関する表示は外部から見えない状態となる。また、第１のＲＦモードの場合には第２のＲＦモードに関する表示は外部から見えない状態となる。さらに、第２のＲＦモードの場合には第１のＲＦモードに関する表示は外部から見えない状態となる。従って、ユーザは、現在のモードに無関係な表示に惑わされることなく操作を行うことができるので、操作がやりやすい。
【００６５】
次に、ＭＦ環位置検出回路２２４に接続される検出機構の構成について、図６を用いて説明する。ＭＦ環位置検出回路２２４は、図６（ａ）に示すように配置されたフォトインタラプタ部２２４ａ、２２４ｂに接続され、フォトインタラプタ部２２４ａ、２２４ｂの出力に基づいて、図６（ｂ）に示す組合せを判定してＭＦ環２０４の光軸方向の位置を検出する。なお、図６（ｂ）のＲＦＰＩａ、ＲＦＰＩｂは、それぞれフォトインタラプタ部２２４ａ、２２４ｂを示す。
【００６６】
図６（ａ）に示すように、遮光部２３０は、ＭＦ環２０４の光軸方向の移動に連動して光軸方向に移動するように構成されている。ＭＦ環２０４が第２の位置に位置している場合には、遮光部２３０−２に示すように、ＭＦ環２０４の光軸方向の移動（スライド）に連動する遮光部２３０の少なくとも一部がフォトインタラプタ部２２４ａの検出範囲内に入る位置にある。また、この時には遮光部２３０は、フォトインタラプタ部２２４ｂの検出範囲に入らないように配置されている。図６（ａ）の遮光部２３０−１とフォトインタラプタ２２４ｂ−１は、点線矢印方向から見た遮光部２３０とフォトインタラプタ２２４ｂの位置関係を示している。また、フォトインタラプタ２２４ｂに内蔵される発光部２２４ｂ−２と受光部２２４ｂ−３の配置も示している。
【００６７】
ＭＦ環２０４が第２の位置に位置している場合は、フォトインタラプタ部２２４ａは遮光に対応する出力を発生し、フォトインタラプタ部２２４ｂは透過に対応する出力をそれぞれ発生する。ＭＦ環位置検出回路２２４は、フォトインタラプタ部２２４ａ、２２４ｂの出力を参照して、ＭＦ環２０４が第２の位置（第１のＲＦモード）に位置することを検出する（図６（ｂ）参照）。なお遮光部２３０はＭＦ環２０４の回動には連動しないように構成されている。
【００６８】
また、ＭＦ環２０４が第３の位置に位置している場合には、図６（ａ）の遮光部２３０−３に示すように、遮光部２３０の少なくとも一部がフォトインタラプタ部２２４ａの検出範囲内に入る位置にある。また、遮光部２３０の少なくとも一部がフォトインタラプタ２２４ｂの検出範囲に入る位置に配置されている。ＭＦ環２０４が第３の位置に位置している場合は、フォトインタラプタ部２２４ａ、２２４ｂはともに遮光に対応する出力をそれぞれ発生する。ＭＦ環位置検出回路２２４は、フォトインタラプタ部２２４ａ、２２４ｂの出力を参照して、ＭＦ環２０４が第３の位置（第２のＲＦモード）に位置することを検出する（図６（ｂ）参照）。
【００６９】
また、ＭＦ環２０４が第１の位置に位置している場合には遮光部２３０はフォトインタラプタ部２２４ａ、２２４ｂの検出範囲外になるように配置されている。ＭＦ環２０４が第１の位置に位置している場合は、フォトインタラプタ部２２４ａ、２２４ｂはともに透過に対応する出力を発生する。ＭＦ環位置検出回路２２４は、フォトインタラプタ部２２４ａ、２２４ｂの出力を参照して、ＭＦ環２０４が第１の位置（ＭＦモード）に位置することを検出する（図６（ｂ）参照）。
【００７０】
なお、本実施形態においては、フォトインタラプタ部２２４ａ、２２４ｂによってＭＦ環２０４の位置を検出しているが、フォトインタラプタに限らず、ＭＦ環２０４の位置を検出可能であれば、他の検出センサを採用しても構わない。例えば、磁気センサやスイッチ等であってもよい。
【００７１】
ＭＦ位置検出回路２２５は、不図示の一対のフォトリフレクタを有している。また、ＭＦ環２０４と一体に回動する不図示の内側筒の周方向には、所定の間隔で設けられた複数のスリット孔（不図示）が設けられている。一対のフォトリフレクタは、ＭＦ環２０４が第１の位置（ＭＦ位置）にある場合に、スリット孔の検出範囲内に設けられている。そして、一対のフォトリフレクタからの出力信号に基づいて、ＭＦ環２０４の光軸Ｏ周りの回動方向、回動量、回転速度等の回転状態を検出する。
【００７２】
なお、ＭＦ位置検出回路２２５の検出センサは、ＭＦ環２０４が第１の位置（ＭＦ位置）にある場合に、ＭＦ環２０４の回転を検出可能であればよく、例えば、フォトインタラプタや磁気式のロータリーエンコーダ―等でも構わない。
【００７３】
次に、指標位置検出回路２２６に接続される検出機構について、図７を用いて説明する。指標位置検出回路２２６は、リニアエンコーダ部２２６ａを有している。このリニアエンコーダ部２２６ａは、距離表示環２４または距離表示環２８のレンズ本体２２に対する光軸Ｏ周りの絶対的な回動位置を検出する。
【００７４】
リニアエンコーダ部２２６ａは、抵抗スライダ式のエンコーダ機能を有する電気部品であり、スライド部２２６ｂを有している。
【００７５】
第１のＲＦモードの場合に、ＭＦ環２０４に回動に連動して回動する距離表示環２４に、さらに連動して回動する駆動環２４０が設けられている。駆動環２４０は、第２のＲＦモードの場合には、ＭＦ環２０４の回動に連動して回動する距離表示環２９に、さらに連動して回動するように構成されている。駆動環２４０には、回動に対して線形なカム構造を有するスライド部駆動枠２３１が設けられている。
【００７６】
スライド部２２６ｂは、ＭＦ環２０４の回動位置に応じて光軸方向の位置が変化するスライド部駆動枠２３１が不図示の付勢部材により当て付けられており、スライド部駆動枠２３１の回動により回動量に比例する移動量で光軸方向にスライドするように構成されている。
【００７７】
リニアエンコーダ部２２６ａは、図７（ｂ）に示すように、Ｃ点（２２６ｃ）は所定の基準電圧に接続され、Ｄ点（２２６ｄ）はグランド（ＧＮＤ）に接続される。そして、スライド部２２６ｂの位置に応じてＣ点とＤ点の間で抵抗分割され、リニアエンコーダ部２２６ａは基準電圧とグランド間を抵抗分割した電圧を出力する。
【００７８】
リニアエンコーダ部２２６ａのスライド部２２６ｂにスライド位置に応じて抵抗分割された出力電圧は図７（ｃ）に示すように変化する。リニアエンコーダ部２２６ａの出力電圧Ｖoutは、レンズＣＰＵ２２１に内蔵されるＡＤコンバータによってデジタルデータに変換される。レンズＣＰＵ２２１は、ＭＦ環２０４の回動位置に応じたリニアエンコーダ部２２６ａの出力、すなわち指標位置検出回路２２６の出力に基づいて、ＭＦ環２０４の光軸Ｏ周りの絶対的な回動位置を検出する。
【００７９】
そして、レンズＣＰＵ２２１は、ＭＦ環２０４の回動位置に対応するリニアエンコーダ部２２６aの出力電圧Ｖoutを所定の判定電圧と比較して、指標２５ａに合わせられた距離目盛２４ａまたは、指標２９ａに合わせられた距離目盛２８ａを判別する。
【００８０】
なお、指標位置検出回路２２６は、レンズ本体２２に対する光軸Ｏ周りの絶対的な回動位置を検出することが可能であれば、リニアエンコーダ以外の構成を採用しても勿論かまわない。例えば、光学式または磁気式の絶対位置検出用のロータリーエンコーダであってもよい。また、グレイコード式エンコーダを設け、ＭＦ環２０４に連結された接点がＭＦ環２０４の回動に応じてグレイコード式エンコーダ上を摺動するように構成し位置検出を行ってもよい。また、本実施形態においては、絶対位置の検出にあたって、高速に検出するために、カメラ本体１００と交換レンズ２００との間の同期通信の際のレンズ通信同期信号を検出用タイマのタイミング信号として利用する。
【００８１】
次に、カメラ本体１００と交換レンズ２００の間でなされる同期通信の一例を、図８を用いて説明する。図８において、横軸は時間の流れを表し、縦軸にそれぞれの処理内容やタイミングを示す。カメラ本体処理において、処理Ｂ１では、前フレームで取得した画像データによりライブビュー画像の表示や、ＡＦ評価値の算出を行う。また処理Ｂ２では、レンズ状態通信により取得したレンズ状態データに基づいて、ＡＦ演算や各種設定変更等を行う。
【００８２】
垂直同期信号は、各フレームに対応して出力される信号である。撮像・読出しでは、撮像素子１０３において被写体像を撮像し、この撮像した画像データの読出しを行う。なお、図９において、撮像・読出しが、菱形形状をしているのは、本実施形態においては、ライブビュー画像の取得時はローリングシャッタを採用しており、画素ラインごとに撮像と読出しを順次行うためである。
【００８３】
レンズ通信における通信ＢＬでは、カメラ本体１００から交換レンズ２００にレンズ状態データ要求コマンドを送信し、このコマンドは交換レンズ２００のレンズ状態を示すデータをカメラ本体１００に送信することを要求する。また通信ＬＢでは、レンズ状態データ要求コマンドに応じて、交換レンズ２００がカメラ本体１００にレンズ状態を示すデータを送信する。
【００８４】
レンズ通信同期信号は、カメラ本体１００において垂直同期信号に応答して生成され、このレンズ通信同期信号はカメラ本体通信回路１３１の同期信号端子より交換レンズ２００に出力される。レンズ位置取得信号は、所定のタイミング、例えば図８に示す例では、撮像素子１０３における電荷蓄積時間の略中央時点を経過した時点で状態が変化する。
【００８５】
また、交換レンズ２００内における処理Ｌ１は、レンズ位置取得信号の状態変化タイミングでの焦点調節レンズ２０３の位置情報の取得、およびレンズ通信同期信号の受信タイミングでのＭＦ環２０４の操作状態の検出を行う処理である。また処理Ｌ２は、カメラ本体１００から受信したレンズ状態データ要求コマンドに応じて、焦点調節レンズ２０３の位置情報や、ＭＦ環２０４の操作状態等のレンズ状態データを送信する処理である。
【００８６】
図１０のタイミングチャートに示すように、本実施形態における同期通信では、垂直同期信号に同期してカメラ本体１００内において処理Ｂ１を実行し、また、垂直同期信号に同期してレンズ通信同期信号を交換レンズ２００に送信する。
【００８７】
カメラ本体１００内において処理Ｂ１を処理すると、交換レンズ２００に対して通信ＢＬによって、レンズ状態データ要求コマンドを送信する。交換レンズ２００はレンズ状態データ要求コマンドを受信すると、レンズ状態を検出し、通信ＬＢによってレンズ状態データを送信する。カメラ本体１００はレンズ状態データを受信すると、処理Ｂ２を実行する。
【００８８】
また、交換レンズ２００内において、レンズ位置を取得する処理Ｌ１はレンズ位置取得信号に同期して実行する。このレンズ位置取得信号は所定のタイミング、前述したように、図８の例においては、撮像素子１０３の画面中央による電荷蓄積時間の１／２が経過した時点で発生する。交換レンズ２００は、レンズ位置取得信号の状態変化のタイミングでレンズ位置検出回路２２３によって焦点調節レンズ２０３の位置情報を取得する。これらの同期通信は、全体としては、レンズ通信同期信号に同期して実行される。
【００８９】
次に、本実施形態における焦点調節モードについて説明する。本実施形態においては、焦点調節モードとしては、オートフォーカスモード（ＡＦモード）、マニュアルフォーカスモード（ＭＦモード）、レンズフォーカスモード１（第１のＲＦモード）およびレンジフォーカスモード２（第２のＲＦモード）の４種類のモードが用意されている。ＡＦモードは、撮像素子１０３からの画像データに基づくコントラストＡＦを用いた山登り法によって、自動的に焦点調節レンズ２０３のピント合わせを行う。またＭＦモードは、ＭＦ環２０４が第１の位置（ＭＦ位置）にある際に、手動でＭＦ環２０４を回転させ、このときの回転状態に応じて焦点調節レンズ２０３を移動させてピント合わせを行う。ＡＦモードとＭＦモードは、前述したように、カメラ本体１００において、例えば、メニュー画面において設定される。
【００９０】
これに対して、第１のＲＦモードでは、ＭＦ環２０４が第２の位置にある際に、ＭＦ環２０４を回動させ、距離表示環２４の距離目盛２４ａを指標２５ａに合わせることにより距離設定を行い、この設定距離にピント合わせを行う。
【００９１】
また、第２のＲＦモードでは、ＭＦ環２０４が第３の位置にある際に、ＭＦ環２０４を回動させ、距離表示環２８の距離目盛２８ａを指標２９ａに合わせることにより距離設定を行い、この設定距離にピント合わせを行う。
【００９２】
第１または第２のＲＦモードで事前に距離を設定した後に電源オフし、その後、第１または第２のＲＦモードに設定した状態で電源オンとすると、事前に設定した距離にピントを合わせることができる。例えば、撮影者が街などを散歩している際に、事前に第１または第２のＲＦモードで距離を設定しておくと、被写体が突然現われた場合であっても、迅速に撮影することができる。この時、第１のＲＦモードと第２のＲＦモードとで異なる距離を事前に設定しておけば、突然現れた被写体の距離に応じて第１または第２のＲＦモードを選択してから電源オンすれば、被写体に適切なピント状態で撮影が可能となる。
【００９３】
また第１または第２のＲＦモードで距離設定後に、ＭＦ環２０４を第１の位置（ＭＦ位置）にスライドさせることによりＭＦモードやＡＦモードに切換えた場合であっても、ＭＦ環２０４を第２または第３の位置にスライドさせると、設定された距離に直ちにピント合わせがなされる。
＜図９＞フローチャート
次に、本実施形態における撮影動作について、図９および図１０に示すフローチャートを用いて説明する。このフローチャートは、主として、カメラ本体１００内のフラッシュＲＯＭ１２２に記憶されているプログラムに従って本体ＣＰＵ１２１が実行するが、一部、ＭＦ環操作検出・動作処理のフロー中、ＲＦモードが設定された場合には、交換レンズ２００内のフラッシュＲＯＭに記憶されているプログラムに従って、レンズＣＰＵ２２１が主として実行する。
【００９４】
操作スイッチ検出回路１２９が、電源釦が操作されたことを検出すると、図９に示すフローチャートが動作を開始する。まず、交換レンズ２００が装着されているか否かを判定する（Ｓ１）。この判定は、操作スイッチ検出回路１２９がマウントスイッチ等の状態を検出し、この検出結果に基づいて行う。この判定の結果、交換レンズ２００が装着されていなかった場合には、交換レンズ２００の装着を待つ、待機状態となる。待機中に撮影者により撮影パラメータの変更操作や過去に撮影した撮影画像の再生操作、焦点調節モードの設定等が行われた場合には、指示された動作を実行する。
【００９５】
ステップＳ１における判定の結果、交換レンズ２００がカメラ本体１００に装着された場合には、次にレンズ通信を行う（Ｓ３）。ここでは、カメラ本体通信回路１３１およびレンズ通信回路２２９を介して、レンズＣＰＵ２２１と非同期通信を行う。この非同期通信により、焦点調節レンズ２０３等の動作パラメータ、色収差データ等の光学データなどのレンズデータ、同期通信が可能か否かの情報等を取得し、ＲＡＭ１２３に記憶する。
【００９６】
レンズ通信を行うと、次に、同期通信を開始する（Ｓ５）。ここでは、図１０を用いて説明したように、カメラ本体１００から交換レンズ２００にレンズ通信同期信号を送信し、この信号に同期して通信を行う。同期周期毎に焦点調節レンズ２０３等の動作状態やＭＦ環２０４の操作状態等のレンズ状態データを取得して、レンズ状態に応じた制御動作を実行する。従って、レンズ通信同期信号が出力されるたびに、カメラ本体は、焦点調節レンズ２０３のレンズ位置に関するデータ、ＭＦ環２０４が第１の位置にあるか第２の位置にあるか第３に位置にあるか、また絞り２０５の絞り値等の情報を取得でき、この情報に応じた制御動作を実行する。また、カメラ本体１００からも、ＡＦ制御を行うための焦点調節レンズ２０３の駆動方向および駆動量、また絞り２０５の絞り込み量に関する制御命令を送信することができる。なお、ステップＳ３において行ったレンズ通信によって、同期通信が不可の交換レンズが装着された場合には、同期通信は行わない。
【００９７】
同期通信を開始すると、次に、ライブビュー表示を開始する（Ｓ７）。本体ＣＰＵ１２１は撮像素子制御回路１２４より撮像素子１０３を同期周期毎に動作させて画像データを取得し、画像処理回路１２７においてライブビュー表示用の画像処理を施す。ライブビュー表示用に処理された画像データを用いて、表示回路１２８は表示用モニタ１０５にライブビュー表示を開始する。
【００９８】
ライブビュー表示を開始すると、次に、交換レンズ１００が取り外されたか否かの判定を行う（Ｓ９）。ここでは、ステップＳ５において開始した同期通信の通信状態、およびステップＳ１と同様に、マウントスイッチの状態の少なくとも１つに基づいて、交換レンズ１００が取り外されたか否かを判定する。この判定の結果、交換レンズ１００が取り外された場合には、ステップＳ１に戻る。
【００９９】
ステップＳ９における判定の結果、交換レンズ１００が取り外されておらず、装着されている場合には、次に、電源オフか否かの判定を行う（Ｓ１１）。ここでは、操作スイッチ検出回路１２９が電源釦の操作状態を検出し、この検出結果に基づいて判定する。この判定の結果、電源オフであった場合には、終了処理を行う（Ｓ１３）。ここでは、各種データの退避処理、リセット動作、電源系統の切断処理等の処理を行う。終了処理を行うと、このフローを終了する。
【０１００】
ステップＳ１１における判定の結果、電源オフでなかった場合には、次に、ＭＦ環操作検出・動作処理を行う（Ｓ１５）。ここでは、ＭＦ環２０４の操作状態に応じて焦点調節レンズ２０３の動作制御や設定処理を行う。すなわち、ＭＦ環２０４が交換レンズ２００の前方側（被写体側）にスライドしている第２の位置にある場合、カメラ本体１００でＡＦモードに設定されているか、ＭＦモードに設定されているかに係わらず、第１のＲＦモードを実行する。また、後方側（撮像素子側）にスライドしている第３の位置にある場合には、同様にカメラ本体１００でＡＦモードに設定されているか、ＭＦモードに設定されているかに係わらず、第２のＲＦモードを実行する。一方、ＭＦ環２０４が交換レンズ２００の中央位置にスライドしている第１の位置にある場合には、カメラ本体１００で設定されたＡＦモードまたはＭＦモードに従った制御を行う。ＭＦ環操作検出・動作処理の詳しい処理については、図１０を用いて後述する。
【０１０１】
なお、ボディＣＰＵ１２１は、ＭＦ環操作検出・動作処理の最中にもレンズＣＰＵ２２１と図８に示す同期通信を行い、フォーカスレンズ２０３の位置に対応する距離データを受信している。そしてボディＣＰＵ１２１は、上記ＭＦ環操作検出・動作処理により設定されたフォーカスレンズ２０３の位置に対応する距離を、表示用モニタ１０５によるライブビュー表示上に表示させる。
【０１０２】
ＭＦ環操作検出・動作処理を行うと、次に、動画スイッチがオンか否かを判定する（Ｓ１７）。ここでは、操作スイッチ検出回路１２９が動画スイッチの操作状態を検出し、この検出結果に基づいて判定する。
【０１０３】
ステップＳ１７における判定の結果、動画スイッチがオフであった場合、すなわち、静止画撮影モードの場合には、１ｓｔレリーズスイッチがオンか否かを判定する（Ｓ１９）。撮影者は、撮影に入る前に準備段階としてレリーズ釦を半押し操作する。ここでは、操作スイッチ検出回路１２９が１ｓｔレリーズスイッチの操作状態を検出し、この検出結果に基づいて判定する。この判定の結果、１ｓｔレリーズスイッチがオフであった場合には、ステップＳ９に戻る。
【０１０４】
ステップＳ１９における判定の結果、１ｓｔレリーズスイッチがオンであった場合には、次に、静止画測光・ＡＦを行う（Ｓ２１）。ここでは、静止画撮影用の測光、露出演算、ＡＦ等の撮影に必要な動作を実行する。測光および露出演算は、撮像素子１０３からの画像データに基づいて、被写体輝度を検出し、検出された被写体輝度に基づいて適正露光となるシャッタ速度および絞り値等の露出制御値を算出する。また、静止画撮影用のＡＦは、画像データから抽出した高周波成分（ＡＦ評価値）が最も大きくなるように、所謂山登り法によるＡＦ動作を行う。なお、位相差ＡＦによる自動焦点調節動作を行うようにしてもよい。
【０１０５】
静止画測光・ＡＦを行うと、次に、１ｓｔレリーズスイッチがオフか否かを判定する（Ｓ２３）。この判定の結果、１ｓｔレリーズスイッチがオフであった場合には、後述するステップＳ４１に進む。
【０１０６】
一方、ステップＳ２３における判定の結果、１ｓｔレリーズスイッチがオフでなかった場合、すなわちオンであった場合には、次に、２ｎｄレリーズスイッチがオンか否かの判定を行う（Ｓ２５）。撮影者は、ライブビュー表示を観察し、構図およびシャッタタイミングが決まると、レリーズ釦を全押し、撮影の実行を指令する。ここでは、操作スイッチ検出回路１２９が２ｎｄレリーズスイッチの操作状態を検出し、この検出結果に基づいて判定する。この判定の結果、２ｎｄレリーズスイッチがオフであった場合には、ステップＳ２３に戻る。
【０１０７】
ステップＳ２５における判定の結果、２ｎｄレリーズスイッチがオンであった場合には、撮影動作に移り撮像を行う（Ｓ２７）。ここでは、ステップＳ２１において算出した露出演算結果に基づいて、本体ＣＰＵ１２１はレンズＣＰＵ２２１と通信を行い、絞り２０５の絞り込み動作を指示し、絞り込み動作完了後に撮像素子制御回路１２４、シャッタ制御回路１２６により撮像素子１０３およびフォーカルプレーンシャッタ１０４を制御し撮像動作を行う。撮像動作の終了後、撮像素子１０３から読み出された画像信号を画像処理回路１２７によって処理し画像データを取得する。
【０１０８】
撮像を行うと、次に、画像データの記憶を行う（Ｓ２９）。ここでは、本体ＣＰＵ１２１は、ステップＳ２７において取得した画像データをＲＡＭ１２３や、コンパクトフラッシュ（登録商標）等の外部記憶媒体に記憶する。また、取得した画像データに基づいて、表示回路１２７を介して表示用モニタに、所定時間の間、撮影画像の表示を行う。
【０１０９】
ステップＳ１７における判定の結果、動画スイッチがオンであった場合には、動画撮影モードに入る。まず、動画撮影を開始する（Ｓ３１）。本体ＣＰＵ１２１は、撮像素子制御回路１２４により撮像素子１０３を同期周期毎に動作させて動画撮影を開始させる。撮像素子１０３から出力される画像信号を画像処理回路１２７で動画用に画像処理を施し、この動画用画像データをＲＡＭ１２３やコンパクトフラッシュ（登録商標）等の外部記憶媒体に記録を開始する。
【０１１０】
動画撮影を開始すると、続いて、ＭＦ環操作検出・動作処理を行う（Ｓ３３）。ここでは、ステップＳ１５と同様に、ＭＦ環２０４の操作状態に応じて焦点調節レンズ２０３の動作制御や設定処理を行う。
【０１１１】
ＭＦ環操作検出・動作処理を行うと、次に、動画測光・ＡＦを行う（Ｓ３５）。動画撮影用のＡＥとしては、静止画撮影時よりも細かい駆動ステップで絞り２０５を絞り駆動回路２２７により駆動させて撮像素子１０３に入射する被写体光量変化が滑らかになるように制御を行う。また、ＡＦモードの場合には、動画撮影用のＡＦは山登りＡＦ動作を行い、必要に応じて合焦付近で焦点調節レンズ２０３を微小反復駆動させる、所謂、ウォブリング動作等を実行し合焦状態を継続させる。
【０１１２】
動画測光・ＡＦ動作を行うと、次に、動画スイッチがオフか否かを判定する（Ｓ３７）。撮影者は動画撮影を終了する場合には、動画釦から手を離すので、ここでは、操作スイッチ検出回路１２９が動画スイッチの操作状態を検出し、この検出結果に基づいて判定する。この判定の結果、動画スイッチがオンであれば、ステップＳ３３に戻り、動画撮影を続行する。
【０１１３】
ステップＳ３７における判定の結果、動画スイッチがオフであれば、次に、動画撮影終了処理を行う（Ｓ３９）。ここでは、本体ＣＰＵ１２１は、撮像素子制御回路１２４により撮像素子１０３の動作を停止させて、動画撮影を終了する。
【０１１４】
ステップＳ２９において画像データの記憶を行うと、またはステップＳ３９において動画撮影終了を行うと、またはステップＳ２３における判定の結果、１ｓｔレリーズスイッチがオフであった場合には、次に、表示の初期化を行う（Ｓ４１）。ここでは、本体ＣＰＵ１２１は、表示回路１２７により撮影画像表示や動画撮影パラメータ表示のクリア等を行って、表示用モニタ１０５における表示をライブビュー表示に戻す。表示の初期化を行うと、ステップＳ９に戻る。
【０１１５】
次に、ステップＳ１５およびＳ３３におけるＭＦ環操作検出・動作処理について、図１０に示すフローチャートを用いて説明する。なお、ＭＦ環検出・動作処理のフローの動作は、本体ＣＰＵ１２１の制御の下にレンズＣＰＵ２２１によって実行されるが、ＲＦモードを実行する際には、レンズＣＰＵ２２１が主になって実行される。
【０１１６】
この処理の概要は次のようなものである。ＭＦ環位置検出回路２２４がＭＦ環２０４の位置を検出し、レンズＣＰＵ２２１はこの検出結果に基づいて第１のＲＦ位置（第１のレンジフォーカス位置、第２の位置）、第２のＲＦ位置（第２のレンジズフォーカス位置、第３の位置）、ＭＦ位置（第１の位置）にあるか否かを判定する。そして、レンズＣＰＵ２２１は、判定された位置に応じたフォーカス動作を行い、フォーカスレンズ２０３を駆動する。
【０１１７】
ＭＦ環操作検出・動作処理のフローに入ると、レンズＣＰＵ２２１は、ステップＳ５１にてＲＦＰＩａ、ＲＦＰＩｂの出力を取得する。そして、レンズＣＰＵ２２１は、ステップＳ５３にて２回連続して取得したＲＦＰＩａの出力が同一であり、かつ２回連続して取得したＲＦＰＩｂの出力が同一であるかを判別する。上記を満たす場合はステップＳ５５に進み、満たさない場合はステップＳ５１に戻る。ここでは、ノイズ等の外乱の影響を除去する、いわゆるチャタキラー処理を行う。
【０１１８】
次に、レンズＣＰＵ２２１は、ステップＳ５５にてＲＦＰＩａの出力が遮光、かつＲＦＰＩｂの出力が遮光であるか否かを判別する。ＲＦＰＩａの出力が遮光、かつＲＦＰＩｂの出力が遮光である場合は、ステップＳ５７に進み、そうでない場合はステップＳ６３に進む。そして、レンズＣＰＵ２２１は、ステップＳ５７にてリニアエンコーダの出力を取得してステップＳ５９に進む。
【０１１９】
レンズＣＰＵ２２１は、ステップＳ５９にてリニアエンコーダ出力に基づいてユーザにより設定された距離を判別する。ここでは、図６を用いて説明したように、リニアエンコーダ部２２６ａによって、指標２５ａに対する距離目盛２４ａを読み取って判別する。リニアエンコーダ部２２６ａの出力に基づいた指標２５ａに合わせられた距離目盛２４ａの具体的な判別方法については後述する。
【０１２０】
次に、レンズＣＰＵ２２１は、ステップＳ６１にて上記設定された距離に応じてフォーカスレンズ２０３を駆動する。そしてリターンする。
【０１２１】
一方、レンズＣＰＵ２２１は、ステップＳ６３にてＲＦＰＩａの出力が遮光、かつＲＦＰＩｂの出力が透過であるか否かを判別する。ＲＦＰＩａの出力が遮光かつＲＦＰＩｂの出力が透過である場合はステップＳ６５に進み、そうでない場合はステップＳ７１に進む。
【０１２２】
次に、レンズＣＰＵ２２１は、ステップＳ６５にてリニアエンコーダの出力を取得してステップＳ６７に進む。レンズＣＰＵ２２１は、ステップＳ６７にてリニアエンコーダ出力に基づいて設定された距離を判別する。距離の判別の方法については後述する。そして、レンズＣＰＵ２２１は、ステップＳ６９にて設定された距離に応じてフォーカスレンズ２０３を駆動する。そしてリターンする。
【０１２３】
一方、レンズＣＰＵ２２１は、ステップＳ７１にてＲＦＰＩａの出力が透過、かつＲＦＰＩｂの出力が透過であるか否かを判別する。そして、ＲＦＰＩａの出力が透過、かつＲＦＰＩｂの出力が透過である場合はステップＳ７３に進み、そうでない場合はステップＳ７９に進む。
【０１２４】
レンズＣＰＵ２２１は、ステップＳ７３にてＭＦ環回転検出センサをオンし、ステップＳ７５にてＭＦ環回転検出センサの出力を取得する。そしてレンズＣＰＵ２２１は、ステップＳ７７にて、ＭＦ環の回転を検出した結果、即ち回転量、回転方向、回転速度等に応じてフォーカスレンズ２０３を駆動する。そして、リターンする。
【０１２５】
一方、レンズＣＰＵ２２１は、ステップＳ７９にてエラー処理を行う。ここでは、ＲＦＰＩａ、ＲＦＰＩｂの出力が異常な状態であることを判別したので、ＭＦ動作やＲＦ動作を停止する処理を行う。
【０１２６】
次に、図１０のステップＳ５９にて実行される指標２５ａに合わせられた距離目盛２４ａを判別する方法について説明する。図１１（ａ）は、各距離目盛２４ａが指標２５ａに一致するＭＦ環２０４の回転量と、各距離目盛２４ａの位置を判定するための判定領域と、この各判定領域に対応するＭＦ環２０４の回転量とリニアエンコーダ部２２６ａの出力電圧範囲を示す表である。
【０１２７】
たとえば、距離目盛「∞」を指標２５ａに合わせる場合のＭＦ環２０４の回転量は、距離目盛２４ａの最至近側に相当する所定の基準位置から９４度の回転量の位置とする。たとえば、距離目盛「∞」が指標２５ａに合わせられていると判定する判定領域１は、距離目盛「∞」に対するＭＦ環２０４の回転量９４度を中心として±３度の範囲である回転量範囲９１〜９７度とし、対応するリニアエンコーダ部２２６ａの出力電圧範囲は３〜３．２Ｖと設定している。他の距離目盛についても同様な設定となるが、距離目盛の距離値が、図４に示すように無限位置を基準として距離値の逆数に比例する回転量を有することに対応して、∞から至近側に変化するほど回転量範囲が広くなるように設定されている。
【０１２８】
ただし、距離目盛「０．５ｍ」の判定領域５は、撮影可能な至近限界の最至近距離に対応する回転量がＭＦ環２０４の回転の端となるため、回転量範囲は狭くなっている。
【０１２９】
図１１（ｂ）は、図１１（ａ）に示す表に基づくグラフであり、ＭＦ環２０４の回転量とリニアエンコーダ部２２６ａの出力電圧の関係を示す。また、図１０のステップＳ５９にて指標２５ａに合わせられた距離目盛２４ａを判定するための判定スレッシュを示すものである。
【０１３０】
図１１（ｂ）の実線は、ＭＦ環２０４の回転量に対するリニアエンコーダ部２２６ａの出力電圧の変化を示し、一点鎖線は、指標２５ａが距離目盛２４ａのそれぞれの位置に一致する回転量に対応するリニアエンコーダ部２２６ａの出力電圧を示す。また、点線はリニアエンコーダ部２２６ａの出力に基づいて指標２５ａに対応する距離目盛２４ａを読み取り判定するための判定スレッシュを示し、隣接する判定スレッシュの間隔は、各距離目盛２４ａの位置を判定するための判定領域である。
【０１３１】
レンズＣＰＵ２２１は、リニアエンコーダ部２２６ａの出力電圧を取得し、取得した出力電圧と判定スレッシュを比較することにより、判定領域１〜５のいずれの判定領域に位置するかを判定する。たとえば、リニアエンコーダ部２２６ａの出力電圧Ｖoutが、Ｖout＝１．８Ｖの場合は、判定スレッシュ１．５Ｖと２．６Ｖの間（１．５≦Ｖout＜２．６Ｖ）であり判定領域３に含まれるので、距離目盛「３ｍ」が指標２５ａに合わせられていると判定する。
【０１３２】
つまり、ユーザが、ＭＦ環２０４を操作して指標２５ａに合わせた距離目盛２４ａを判定する。そして、ユーザにより設定された距離目盛２４ａの距離に対応する位置にフォーカスレンズ２０３を駆動する。
【０１３３】
このように、無限位置を基準として距離値の逆数に比例するＭＦ環２０４の回転量により距離目盛２４ａと指標２５ａが一致するように、距離目盛２４ａを配置することにより、従来の一般的なメカニカルなＭＦ機構によるＭＦ操作と同様な操作感を有するＲＦモードを実現することができる。そして、従来の一般的なメカニカルなＭＦ機構によるＭＦ操作に慣れているユーザにとって操作性を向上させることができる。
【０１３４】
さらに、∞から至近側に変化するほどＭＦ環２０４の回転量範囲が広くなるように設定されているので、距離目盛２４ａの間隔に合わせた操作感を実現し、より一層操作性を向上させることができる。
【０１３５】
図１２（ａ）は、各距離目盛２８ａを指標２９ａに一致させるＭＦ環２０４の回転量と、各距離目盛２８ａの位置を判定するための判定領域と、この各判定領域に対応するＭＦ環２０４の回転量とリニアエンコーダ部２２６ａの出力電圧範囲を示す表である。
【０１３６】
たとえば、距離目盛「∞」を指標２９ａに対応させるＭＦ環２０４の回転量は、距離目盛２８ａの最至近側に設けられた所定の基準位置から８５．５度の回転量の位置とする。そして、距離目盛「∞」と判定する判定領域１は、距離目盛「∞」に対応するＭＦ環２０４の回転量８５．５度を中心として±１１．５度の範囲である回転量範囲７４〜９７度とする。また、この回転量範囲に対応するリニアエンコーダ部２２６ａの出力電圧範囲は２．４５〜３．２Ｖと設定している。他の距離環目盛についても同様に図１２（ａ）に示す設定となり、図５に示すように距離環２８の距離目盛２８ａの位置を等間隔に配置することに対応して、回転量は等間隔に設定されている。
【０１３７】
ただし、距離目盛「０．５ｍ」の判定領域５は、撮影可能な最至近距離に対応する回転量がＭＦ環２０４の回転の端となるため、回転量範囲は他に比較して狭くなっている。
【０１３８】
図１２（ｂ）は、図１２（ａ）に示す表に基づくグラフであり、ＭＦ環２０４の回転量とリニアエンコーダ部２６ａの出力電圧の関係を示す。また、図１０のステップＳ６７にて距離目盛２８ａを判定するための判定スレッシュを示している。
【０１３９】
図１２（ｂ）の実線は、ＭＦ環２０４の回転量に対するリニアエンコーダ部２２６ａの出力電圧の変化を示し、一点鎖線は、指標２９ａが距離目盛２８ａのそれぞれの位置に一致する回転量に対応するリニアエンコーダ部２２６ａの出力電圧を示す。また、点線はリニアエンコーダ部２２６ａの出力に基づいて指標２９ａに対応する距離目盛２８ａを読み取り判定するための判定スレッシュを示し、隣接する判定スレッシュの間隔は、各距離目盛２８ａの位置を判定するための判定領域である。
【０１４０】
レンズＣＰＵ２２１は、リニアエンコーダ部２２６ａの出力電圧を取得し、取得した出力電圧と判定スレッシュを比較することにより、判定領域１〜５のいずれの判定領域に位置するかを判定する。たとえば、リニアエンコーダ部２２６ａの出力電圧Ｖoutが、Ｖout＝２Ｖの場合は、判定スレッシュ１．７Ｖと２．４５Ｖの間（１．７≦Ｖout＜２．４５Ｖ）であり判定領域２に含まれるので、距離目盛「７ｍ」が指標２９ａに合わせられていると判定する。
【０１４１】
このようにして、ユーザが、ＭＦ環２０４を操作して指標２９ａに合わせた距離目盛２８ａを判定する。そして、ユーザにより設定された距離目盛２８ａの距離に相当する位置にフォーカスレンズ２０３を駆動する。
【０１４２】
上述のように、ＭＦ環２０４が等間隔な回転量だけ回転することによって距離目盛２８ａと指標２９ａが一致するように距離目盛２８ａを配置することにより、初心者にわかりやすい操作感を有するＲＦモードを実現することができる。従って、従来から一般的であるメカニカルなＭＦ機構によるＭＦ操作に慣れていない、たとえば初心者のユーザにとっては操作性を向上させることができる。
【０１４３】
さらに、ＭＦ環２０４の回転操作により特定の距離目盛２８ａが設定されるＭＦ環２０４の回転量範囲が、距離値によらず一定間隔となるように設定されているので、距離目盛２８ａの間隔に合わせた操作感を実現し、より一層操作性を向上させることができる。
【０１４４】
以上説明したように、本発明の一実施形態においては、ＭＦモード、第１のＲＦモード、第２のＲＦモードの３つの焦点調節モードがあり、このうち、ＭＦモードは、交換レンズ２００に設けたＭＦ環２０４を第１の位置に設定すればよい。一方、第１のＲＦモードは、交換レンズ２００に設けたＭＦ環２０４を第２の位置に設定するのみで、設定可能である。また第２のＲＦモードは、交換レンズ２００に設けたＭＦ環２０４を第３の位置に設定するのみで設定可能である。
【０１４５】
また、本発明の一実施形態においては、リング部材としてのＭＦ環２０４は、回転操作とスライド操作の２操作を可能としている。そして、回転操作でＭＦモード時の手動焦点調節と第１、第２のＲＦモード時の距離設定が可能であり、スライド操作により第１、第２のＲＦモードの設定を可能としている。このため、撮影者は、ライブビュー表示やファインダ等に集中しながら、ＭＦ環２０４を操作するだけで、焦点調節モードの切換えと、距離調節を迅速に行うことができる。
【０１４６】
また、本発明の一実施形態においては、リング部材としてのＭＦ環２０４は、第１の位置ではＭＦモード時の手動焦点調節部材となり、また第２の位置では第１のＲＦモード時の距離設定部材に、また第３の位置では第２のＲＦモード時の距離設定部材となる。このため、３つの機能を有する調節部材を１つのリング部材で兼用することができ、小型にすることができる。
【０１４７】
また、本発明の一実施形態においては、撮影のための機器として、デジタルカメラを用いて説明したが、カメラとしては、デジタル一眼レフカメラでもコンパクトデジタルカメラでもよく、ビデオカメラ、ムービーカメラのような動画用のカメラでもよく、さらに、携帯電話や携帯情報端末（ＰＤＡ：Personal Digital Assist）、ゲーム機器等に内蔵されるカメラでも構わない。
【０１４８】
また、特許請求の範囲、明細書、および図面中の動作フローに関して、便宜上「まず」、「次に」等の順番を表現する言葉を用いて説明したとしても、この順で実施することが必須であることを意味するものではない。
【０１４９】
本発明は、上記実施形態にそのまま限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素の幾つかの構成要素を削除してもよい。さらに、異なる実施形態にわたる構成要素を適宜組み合わせてもよい。
【符号の説明】
【０１５０】
２１・・・レンズマウント部、２２・・・レンズ本体部、２４・・・第１の距離表示環、２４ａ・・・第１の距離目盛、２５・・・第１の指標表示部、２５ａ・・・第１の指標、２５ｂ・・・被写体深度指標、２８・・・第２の距離表示環、２８ａ・・・第２の距離目盛、２９・・・第２の指標表示部、２９ａ・・・第２の指標、１００・・・カメラ本体、１０１・・・カメラ制御回路、１０３・・・撮像素子、１０４・・・フォーカルプレーンシャッタ、１０５・・・表示用モニタ、１０６・・・ストロボ、１０７・・・レリーズ釦、１０８・・・バッテリ、１２１・・・本体ＣＰＵ、１２２・・・フラッシュＲＯＭ、１２３・・・ＲＡＭ、１２４・・・撮像素子制御回路、１２５・・・ストロボ制御回路、１２６・・・シャッタ制御回路、１２７・・・画像処理回路、１２８・・・表示回路、１２９・・・操作スイッチ検出回路、１３０・・・電源回路、１３１・・・カメラ本体通信回路、１３２・・・ファーストレリーズスイッチ、１３３・・・セカンドレリーズスイッチ、２００・・・交換レンズ、２０１・・・レンズ制御回路、２０３・・・焦点調節レンズ、２０４・・・ＭＦ環、２２１・・・レンズＣＰＵ、２２２・・・レンズ駆動回路、２２３・・・レンズ位置検出回路、２２４・・・ＭＦ環位置検出回路、２２４ａ・・・フォトインタラプタ部、２２５・・・ＭＦ位置検出回路、２２５ａ・・・フォトインタラプタ、２２６・・・指標位置検出回路、２２６ａ・・・リニアエンコーダ部、２２６ｂ・・・スライド部、２２７・・・絞り駆動回路、２２８・・・ＲＡＭ、２２９・・・レンズ通信回路
【図１】
2013182180.tif 000003
【図２】
2013182180.tif 000004
【図３】
2013182180.tif 000005
【図４】
2013182180.tif 000006
【図５】
2013182180.tif 000007
【図６】
2013182180.tif 000008
【図７】
2013182180.tif 000009
【図８】
2013182180.tif 000010
【図９】
2013182180.tif 000011
【図１０】
2013182180.tif 000012
【図１１】
2013182180.tif 000013
【図１２】
2013182180.tif 000014